(57)【特許請求の範囲】
【請求項１】
マトリックス状に配置された複数の液晶セル(Clc)及び該液晶セルを駆動するデータライン(DL)とゲートライン(GL)を含み、その後面に表示中は連続して点灯しているバックライト（８０）が配置されている液晶パネル(60)；
該液晶セルに該データラインを介してデータ電圧を印加するデータドライバ(62)；及び
該液晶セル各々へのデータ電圧の印加のタイミングを制御するため、液晶セル各々を走査期間毎にスキャンするゲート信号を出力するゲートドライバ(63)とからなり、
該液晶セルの一に対するスキャンによりデータ電圧が印加された後、その走査期間の間該液晶セルの一へのデータ電圧が維持され次の走査期間において該液晶セルの一へのデータ電圧が更新されている液晶表示装置において、
該液晶セルの各々に該ゲート信号でオン／オフされるＴＦＴスイッチング素子を介して該データ電圧が印加されるアクティブマトリックス駆動の構成を有し、
該液晶パネルの出射面上に設置された光シャッター(66)と該光シャッターを駆動する光シャッタードライバ(65)を更に含み、
該液晶パネルの液晶セルの一をスキャンする走査期間の初期の所定の期間に、該液晶セルの一の位置に対応する光シャッター部分を開放して該液晶セルの一からの出射光を透過し、その走査期間の所定の初期期間後は該光シャッター部分を閉じて該液晶セルの一からの出射光を遮断するよう、該光シャッタードライバが該光シャッターを駆動していることを特徴とする光シャッターを有する液晶表示装置。
【請求項２】
前記光シャッターは、二枚のガラス基板の間に注入される液晶と、前記二枚のガラス基板のそれぞれに形成されて前記液晶を駆動するための多数の電極とを具備することを特徴とする請求項１記載の光シャッターを有する液晶表示装置。
【請求項３】
前記光シャッターのガラス基板のうちの少なくとも一方に接して形成された線偏光を透過させるための偏光板を更に具備することを特徴とする請求項２記載の光シャッターを有する液晶表示装置。
【請求項４】
前記液晶パネルと光シャッターは、偏光板を間に置いて接合されていることを特徴とする請求項１記載の光シャッターを有する液晶表示装置。
【請求項５】
前記液晶パネルと光シャッターは、共有する一枚のガラス基板を間に置いて接合されることを特徴とする請求項１記載の光シャッターを有する液晶表示装置。
【請求項６】
前記液晶パネルに光を照射するためのバックライトを更に具備することを特徴とする請求項１記載の光シャッターを有する液晶表示装置。
【請求項７】
前記光シャッタードライバは、前記光シャッターの開閉を制御するためのシャッター制御信号を発生するための制御部と、前記シャッター制御信号に応答して前記光シャッターを駆動するための光シャッター駆動部とを具備することを特徴とする請求項１に記載の光シャッターを有する液晶表示装置。
【請求項８】
前記シャッター制御信号は、前記液晶パネルに供給されるビデオデータの極性反転に追従して極性が反転されることを特徴とする請求項７記載の光シャッターを有する液晶表示装置の駆動装置。
【請求項９】
前記シャッター制御信号は、前記光シャッターをターン・オンさせるための第１論理値と前記光シャッターをターン・オフさせるための第２論理値を有するパルス信号であることを特徴とする請求項７記載の光シャッターを有する液晶表示装置の駆動装置。
【請求項１０】
前記液晶パネルのデータラインなどに接続されて前記ビデオデータを前記データラインなどに供給するためのデータ駆動部と、前記液晶パネルのゲートラインなどに接続されてスキャニング信号を前記ゲートラインなどに供給するためのゲート駆動部とを具備することを特徴とする請求項７記載の光シャッターを有する液晶表示装置の駆動装置。
【請求項１１】
前記制御部は、前記データ駆動部に接続されて前記ビデオデータとドットクロックを生成して前記データ駆動部を制御すると共に、前記ゲート駆動部に接続されて前記スキャニング信号が順次的に発生されるようにするゲート・スタート・パルスを生成して前記ゲート駆動部を制御することを特徴とする請求項１０記載の光シャッターを有する液晶表示装置の駆動装置。
【請求項１２】
前記シャッター制御信号は、前記液晶パネルの液晶セルに前記ビデオデータが維持される期間に前記第２論理値を有し、また、前記液晶パネルの液晶セルに前記ビデオデータが供給されるフィールド初期期間に第１論理値を有することを特徴とする請求項１１記載の光シャッターを有する液晶表示装置の駆動装置。
【発明の詳細な説明】
【０００１】
【発明の属する技術分野】
本発明は液晶表示装置に関するもので、特に動画像の表示の際に発生されるモーション・ブラーリング（ぼけ）を除去して表示品質を高めるようにした光シャッターを有する液晶表示装置に関するものである。本発明は前記液晶表示装置を駆動するのに適合にした液晶表示装置の駆動装置及び方法に関するものである。
【０００２】
【従来の技術】
アクティブ・マトリックス駆動方式の液晶表示装置はスイッチング素子として薄膜トランジスタ（以下、″ＴＦＴ″という）を利用して動画像を表示している。このような液晶表示装置はブラウン管に比べて小型化が可能でパーソナル・コンピュータ及びノートブック・コンピュータは勿論、コピー機などの事務自動化機器、携帯電話機からポケットベルなどの携帯機器まで広範囲に利用されている。
【０００３】
このような液晶表示装置は液晶の応答特性とデータ遅延により動画像で画面が重なったりうすぼんやり見えるモーション・ブラーリングが表れる問題点がある。これを、陰極線管（以下、″ＣＲＴ″という）と液晶表示装置のデータ極性を表す図１Ａ及び図１Ｂについて説明する。
【０００４】
６０Ｈｚで駆動する時、１フィールド周期は１/６０秒に当たる大略１６．７ｍｓである。ＣＲＴは図１Ａのように１フィールド周期の中、初期の極めて短い時間の間だけ蛍光体を発光させデータを表示して１フィールド周期の殆ど大部分が停止期間として残る。従って、観測者は動画像でモーション・ブラーリングなしに図１Ｃのような実際映像と類似のＣＲＴの表示映像を鑑賞することができる。
【０００５】
これに比べて、液晶表示装置は図２のようにゲートハイ電圧（Ｖｇｈ）が供給されるスキャニング期間に液晶にデータが供給されて１フィールド周期の大部分である非スキャニング期間に液晶に供給されたデータが維持される。これにより、液晶表示装置は１フィールド周期の間に停止期間が無く、各液晶セルが持続的にイメージを表示するために動映像でモーション・ブラーリングが表れている。
【０００６】
最近、液晶表示装置のセット・メーカと多くの研究団体などは液晶表示装置のモーション・ブラーリングを減らすために、ＣＲＴのような停止期間が含まれるようにする研究開発を活発に進行している。
【０００７】
ＩＢＭ（International  Business  Machine）社は図３Ａのように持続的に発光するバックライトを図３Ｂのように１フィールド周期の間に点滅する方法を提案したことがある。しかしこの方法は、バックライトを点滅させることで図４のようにバックライトがオフされる期間だけ停止期間が存在して動画像でモーション・ブラーリングを減らせることができるが、バックライトを駆動するための別途の制御回路が追加されなければならないのでその駆動回路を変更しなければならないだけではなく、バックライトの直流の駆動に比べて輝度が劣る問題点がある。
【０００８】
Sharp社は図５Ａのように、極性だけ反転される既存のデータを図５Ｂのように変造して１フィールド周期にデータがない期間を割り当てる。この方法はノーマリー・ブラック・モードの液晶表示装置において、データがない即ち、電圧のないブラック・データが液晶セルに供給されるようにして１フィールド周期の中に停止期間が含まれるようにする。このような方法は停止期間が存在してモーション・ブラーリングを減らすことができるが、データオン/オフによる駆動周波数の増加、例えば６０Ｈｚから１２０Ｈｚへの増加があるためにタイミング・コントローラとデータ駆動回路を変更しなければならず、高解像図でデータ充電タイムが不足するようになる問題点がある。
【０００９】
【発明が解決しようとする課題】
従って、本発明の目的は動画像の表示の際に発生するモーション・ブラーリングを除去して表示品質を高めるようにした光シャッターを有する液晶表示装置を提供することにある。
【００１０】
本発明の異なる目的は前記液晶表示装置を駆動するのに適合した液晶表示装置の駆動装置及び方法を提供することにある。
【００１１】
【課題を解決するための手段】
前記目的を達成するために、本発明の第１実施例による液晶表示装置は映像を表示する液晶パネルと、液晶パネル上に形成されて液晶パネルからの光を透過または遮断する光シャッターとを具備する。
【００１２】
本発明の第１実施例による液晶表示装置において、前記光シャッターは二枚のガラス基板の間に注入される液晶と、前記二枚のガラス基板のそれぞれに形成されて前記液晶を駆動するための多数の電極とを具備する。
【００１３】
本発明の第１実施例による液晶表示装置は、光シャッターの２枚のガラス基板などのうちの少なくともいずれか一つに形成されて線偏光を透過させるための偏光板とを更に具備する。
【００１４】
本発明の第１実施例による液晶表示装置において、前記液晶パネルと光シャッターは偏光板を間に置いて接合されることを特徴とする。
【００１５】
本発明の第１実施例による液晶表示装置において、前記液晶パネルと光シャッターは一枚のガラス基板を間に置いて接合されることを特徴とする。
【００１６】
本発明の第１実施例による液晶表示装置は前記液晶パネルに光を照射するためのバックライトを更に具備することを特徴とする。
【００１７】
本発明の第２実施例による液晶表示装置は、映像を表示する液晶パネルと、液晶パネル上に形成されて前記液晶パネルからの光を透過または遮断する光シャッターと、光シャッターの開閉を制御するためのシャッター制御信号を発生するための制御部と、シャッター制御信号に応答して光シャッターを駆動するための光シャッター駆動部とを具備する。
【００１８】
本発明の第２実施例による液晶表示装置において、前記シャッター制御信号は前記液晶パネルに供給されるビデオデータの極性反転に追従して極性が反転されることを特徴とする。
【００１９】
本発明の第２実施例による液晶表示装置において、前記シャッター制御信号は前記光シャッターをターン・オンさせるための第１論理値と前記光シャッターをターン・オフさせるための第２論理値とを有するパルス信号であることを特徴とする。
【００２０】
本発明の第２実施例による液晶表示装置は、液晶パネルのデータラインなどに接続されて前記ビデオデータを前記データラインなどに供給するためのデータ駆動部と、前記液晶パネルのゲートラインなどに接続されてスキャニング信号を前記ゲートラインなどに供給するためのゲート駆動部とを具備する。
【００２１】
本発明の第２実施例による液晶表示装置において、前記制御部は、前記データ駆動部に接続されて前記ビデオデータとドットクロックを生成して前記データ駆動部を制御すると共に、前記ゲート駆動部に接続されて前記スキャニング信号が順次的に発生されるようにするゲート・スタート・パルスを生成して前記ゲート駆動部を制御することを特徴とする。
【００２２】
本発明の第１実施例による液晶表示装置において、前記シャッター制御信号は、前記液晶パネルの液晶セルに前記ビデオデータが維持される期間に前記第２論理値を有し、前記液晶パネルの液晶セルに前記ビデオデータ供給されるフィールド初期期間に第１論理値を有することを特徴とする。
【００２３】
本発明の実施例による液晶表示方法は、液晶パネルにビデオデータを供給する段階と、前記ビデオデータの初期供給期間に前記液晶パネル上の光シャッターを開放して前記液晶パネル上に画像が表示されるようにする段階と、前記液晶パネルに供給されたビデオデータの維持期間に前記液晶パネル上の光シャッターを遮蔽することで前記液晶パネルからの光を遮断する段階とを含む。
【００２４】
本発明の実施例による液晶表示方法は、前記液晶パネルセルに前記ビデオデータが維持される期間に前記第２論理値を有し、前記液晶パネルの液晶セルに前記ビデオデータが供給されるフィールド初期期間に第１論理値を有するシャッター制御信号を前記光シャッターに供給する段階とを更に含む。
【００２５】
【作用】
本発明による液晶表示装置は、液晶セルにデータが維持される期間中液晶パネルからの光を遮断するための光シャッターを液晶パネル上に設置する。
【００２６】
【発明の実施態様】
以下、図６乃至図１４を参照して本発明の好ましい実施例に対して説明する。
【００２７】
図６を参照すると、本発明による液晶表示装置は、液晶パネル（６０）のデータラインなど（ＤＬ）にビデオデータを供給するためのデータドライバ（６２）と、液晶パネル（６０）のゲートラインなど（ＧＬ）を順次的に駆動するためのゲートドライバ（６３）と、データドライバ（６２）にガンマ電圧（Ｖｒ）を供給するためのガンマ電圧発生部（６４）と、液晶パネル（６０）から出射される光を選択的に遮断するための光シャッター（６６）と、光シャッター（６６）を制御するための光シャッタードライバ（６５）と、データドライバ（６２）とゲートドライバ（６３）及び光シャッタードライバ（６５）を制御するためのタイミング・コントローラ（６１）とを具備する。
【００２８】
液晶パネル（６０）は二枚のガラス基板の間に液晶が注入されて、その下部ガラス基板上のゲートラインなど（ＧＬ）とデータラインなど（ＤＬ）の交差部には、データラインなど（ＤＬ）から入力される映像を液晶セル（Ｃｌｃ）に選択的に供給するためのＴＦＴが形成される。このために、ＴＦＴはゲートラインなど（ＧＬ）にゲート端子が接続されて、データラインなど（ＤＬ）にソース端子が接続される。そしてＴＦＴのドレーン端子は液晶セル（Ｃｌｃ）の画素電極に接続される。
【００２９】
タイミング・コントローラ（６１）は図示しないデジタル・ビデオ・カードから入力されるデータを赤色（Ｒ）、緑色（Ｇ）及び青色（Ｂ）デジタル・ビデオ・データ別に分離してデータドライバ（６２）に供給する。また、タイミング・コントローラ（６１）は、水平/垂直同期信号（Ｈ、Ｖ）を利用してドットクロック（Ｄｃｌｋ）とゲート・スタート・パルス（ＧＳＰ）を生成して、データドライバ（６２）とゲートドライバ（６３）をタイミング制御する。ドットクロック（Ｄｃｌｋ）はデータドライバ（６２）に供給されて、ゲート・スタート・パルス（ＧＳＰ）はゲートドライバ（６３）に供給される。また、タイミング・コントローラ（６１）は光シャッタードライバ（６５）を制御して光シャッター（６６）をオン/オフさせる役割をする。
【００３０】
データドライバ（６２）にはタイミング・コントローラ（６１）から図６のような赤色（Ｒ）、緑色（Ｇ）及び青色（Ｂ）のデジタル・ビデオ・データと共にドットクロック（Ｄｃｌｋ）が入力される。このデータドライバ（６２）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖｒ）により補正する。そしてデータドライバ（６２）は、ガンマ電圧（Ｖｒ）により補正されたデータに対する極性を各フィールドごとに反転させて、アナログデータに変換して１ライン分ずつデータライン（ＤＬ）に供給する。
【００３１】
ゲートドライバ（６３）は、タイミング・コントローラ（６１）から入力されるゲート・スタート・パルス（ＧＳＰ）に応答して図７のように順次的にスキャンパルスを発生するシフトレジスタと、スキャンパルスの電圧を液晶セルの駆動に適合するレベルにシフトさせるためのレベルシフタなどで構成される。このゲートドライバ（６３）から入力されるスキャンパルスに応答して、ＴＦＴのオン/オフによりデータライン（ＤＬ）上のビデオデータが液晶セル（Ｃｌｃ）の画素電極に供給される。
【００３２】
ガンマ電圧発生部（６４）は、液晶パネル（６０）の電気的・光学的特性を顧慮してデータのグレイスケール値に対応するガンマ電圧（Ｖｒ）を生成して、データドライバ（６２）に供給する役割をする。
【００３３】
光シャッター（６６）は、液晶パネル（６０）の出射面上に設置されて液晶パネル（６０）から出射される光を透過又は遮断させる。この光シャッター（６６）は、液晶に電圧を印加して液晶の回転すなわち液晶の屈折率を異なるようにして、液晶パネル（６０）からの光を透過させたり遮断させる。
【００３４】
光シャッタードライバ（６５）は、タイミング・コントローラ（６１）の制御により光シャッター（６６）を駆動する役割をする。このために、光シャッタードライバ（６５）には、図７のようにビデオデータの極性と一致して各フィールドごとに液晶パネル（６０）からの光を透過させるためのハイ論理区間と液晶パネルからの光を遮断するためのロー論理区間とを有する光シャッターデータ（Sut_data）が供給される。
【００３５】
図８乃至図１０は本発明による液晶パネルと光シャッターを表す。
図８を参照すると、本発明の第１実施例による光シャッターを有する液晶表示装置は、同一の偏光板（８５）を共有する液晶パネルと光シャッターとを具備する。
【００３６】
液晶パネルは、二枚のガラス基板（８２、８４）の間に液晶（８３）が注入される。上部ガラス基板（８４）には上部表面に偏光板（８５）が取り付けられて、その下部表面には図示しないブラックマトリックス、カラーフィルター、共通電極及び配向膜などが形成される。下部ガラス基板（８２）には下部表面に偏光板（８１）が取り付けられて、上部表面にゲート電極、データ電極、ＴＦＴ、画素電極及び配向膜などが形成される。
【００３７】
光シャッターは、二枚のガラス基板（８６、８８）の間に液晶（８７）が注入されて、それぞれのガラス基板（８６、８８）に液晶（８７）を駆動するための電極が形成される。二枚のガラス基板（８６、８８）などに形成された電極などのうちのいずれか一つには、タイミング・コントローラ（６１）から光シャッターデータ（Sut_data）が入力される。上部ガラス基板（８８）には上部に偏光板（８９）が取り付けられる。下部ガラス基板（８６）に液晶パネルが接合される。従って、液晶パネルの上部ガラス基板（８４）と光シャッターの下部ガラス基板（８６）の間に位置する一枚の偏光板（８５）は共有される。
【００３８】
偏光板（８１、８５、８９）の偏光方向は、液晶のモード特性によって異なってくる。例えば、液晶パネルと光シャッターの液晶（８３、８７）が９０°ＴＮモードであり、液晶パネルの下部ガラス基板（８２）に取り付けられた偏光板（８１）の偏光方向がＰ線偏光方向と仮定した時、液晶パネルと光シャッターの間の偏光板（８５）はＳ線偏光方向にその偏光方向が決定される。そして光シャッターの上部ガラス基板上に取り付けられた偏光板（８９）はＰ線偏光方向にその偏光方向が決定される。
【００３９】
電源が印加されて液晶パネルと光シャッターが駆動されると、バックライト（８０）が点灯して液晶パネルの液晶セルにデータが供給される。光シャッターは、タイミング・コントローラ（６１）からの光シャッターデータ（Sut_data）の正極性、負極性のハイ論理区間に液晶パネルからの光を透過させる。そして液晶パネルの液晶セルにデータが維持される期間中に、光シャッターは光シャッターデータ（Sut_data）のグラウンドレベルであるロー論理区間に液晶パネルからの光を遮断する。このように、光シャッターにより１フィールド内で光が透過及び遮断されるので、以前のフィールドの表示映像の維持によるモーション・ブラーリング現象が除去される。
【００４０】
液晶パネルと光シャッターの製造工程は次のとおりである。液晶パネルと光シャッターの製造工程は基板の洗浄、基板のパターンニング、配光膜形成、基板合着/液晶注入、実装工程に分けられる。
【００４１】
基板洗浄の工程では、液晶パネルと光シャッター基板の表面の汚染された異物質を洗浄剤を利用して除去する。
【００４２】
液晶パネルの基板パターンニング工程では、上部基板のパターンニングと下部基板のパターンニングに分けられる。液晶パネルの上部基板にはカラーフィルター、共通電極、ブラックマトリックスなどが形成される。液晶パネルの下部基板にはデータラインとゲートラインなどの信号配線が形成されて、データラインとゲートラインの交差部にＴＦＴが形成されて、該ＴＦＴのソース電極に接続されるデータラインとゲートラインの間の画素領域に画素電極が形成される。
【００４３】
液晶パネルの基板合着/液晶注入の工程では、液晶パネルの基板などに配光膜を塗布してラビングする工程に続いて、シール剤を利用した上/下部基板の合着工程、液晶注入、注入口の封止工程が順次的になされる。
【００４４】
液晶パネルの実装工程では、ゲートドライバ集積回路及びデータドライバ集積回路などの集積回路が実装されたテープ・キャリアー・パッケージ（以下、″ＴＣＰ″という）を基板上のパッド部に接続させる。このようなドライブ集積回路は、前述したＴＣＰを利用したテープ・オートメーテッド・ボンディング方式の外にチップ・オン・グラス方式で基板上に直接実装される。
【００４５】
光シャッターの基板パターンニング工程は、透明電導性の電極物質例えば、インジウム・ティン・オキサイドの蒸着工程とその電極物質のパターンニング工程を含めて光シャッターデータ（Sut_data）が供給される電極が形成される。
【００４６】
光シャッターの基板合着/液晶注入の工程では、基板上に配向膜を塗布してラビングする工程、上/下部基板の合着工程、液晶注入、注入口の封止工程が順次的になされる。
【００４７】
一方、液晶パネルと光シャッターはそれぞれ液晶注入と封止工程がなされた後に共有偏光板（８５）を間に置いて接続することができるが、相互接合した後に液晶注入と封止工程が液晶パネルと光シャッターの双方について同時になされることもできる。
【００４８】
図９を参照すると、本発明の第２実施例による光シャッターを有する液晶表示装置は、接合面に偏光板が存在しない液晶パネルと光シャッターとを具備する。
【００４９】
液晶パネルは二枚のガラス基板（９２、９４）の間に液晶（９３）が注入される。上部ガラス基板（９４）には偏光板（８５）が形成されなくて、その下部表面には図示しないブラックマトリックス、カラーフィルター、共通電極及び配向膜などが形成される。下部ガラス基板（９２）には下部表面に偏光板（９１）が取り付けられて、上部表面にゲート電極、データ電極、ＴＦＴ、画素電極及び配向膜などが形成される。
【００５０】
光シャッターは二枚のガラス基板（９５、９７）の間に液晶（９６）が注入されて、それぞれのガラス基板（９５、９７）に液晶（９６）を駆動するための電極が形成される。二枚のガラス基板（９５、９７）などに形成された電極などの中のいずれか一つには、タイミング・コントローラ（６１）から光シャッターデータ（Sut_data）が入力される。上部ガラス基板（９７）には上部に偏光板（９８）が取り付けられる。下部ガラス基板（９５）に液晶パネルが接合される。従って、液晶パネルの上部ガラス基板（９４）と光シャッターの下部ガラス基板（９５）の間には偏光板が存在しない。
【００５１】
偏光板（９１、９８）の偏光方向は液晶のモード特性によって異なる。例えば、液晶パネルと光シャッターの液晶（９３、９６）が９０°ＴＮモードであり、液晶パネルの下部ガラス基板（９２）に取り付けられた偏光板（９１）の偏光方向がＰ線偏光方向と仮定した時、液晶パネルの液晶（９３）によりＰ線偏光がＳ線偏光の方向に変換され、また光シャッターの液晶によりＳ線偏光がＰ線偏光に変換されるので、光シャッターの上部ガラス基板（９７）上に取り付けられた偏光板（９８）はＰ線偏光方向にその偏光方向が決定される。
【００５２】
電源が印加されて液晶パネルと光シャッターが駆動されると、バックライト（９０）が点灯して液晶パネルの液晶セルにデータが供給される。光シャッターはタイミング・コントローラ（６１）からの光シャッターデータ（Sut_data）の正極性、負極性のハイ論理区間に液晶パネルからの光を透過させる。そして、液晶パネルの液晶セルにデータが維持される期間中に、光シャッターは光シャッターデータ（Sut_data）のグラウンドレベルであるロー論理区間に液晶パネルからの光を遮断する。
【００５３】
基板の洗浄、基板のパターンニング、配光膜形成、基板合着/液晶注入、実装工程を含めた液晶パネルと光シャッターの製造工程は、液晶パネルと光シャッターとの間に偏光板が形成されない点を除いて前述した第１実施例と類似である。
【００５４】
液晶パネルと光シャッターは、それぞれ液晶注入と封止工程がなされた後に接続することができるが、相互接続した後に液晶注入と封止工程が液晶パネルと光シャッターの双方について同時になされることもできる。
【００５５】
図１０を参照すると、本発明の第３実施例による光シャッターを有する液晶表示装置は、一枚の中間ガラス基板（１０５）を共有して液晶パネルと光シャッターが積層される。
【００５６】
中間ガラス基板（１０５）の上部に光シャッターが位置して、下部に液晶パネルが位置する。液晶パネルにおいて、中間ガラス基板（１０５）と下部ガラス基板（１０３）の間に液晶（１０４）が注入される。中間ガラス基板（１０５）の下部表面にはブラックマトリックス、カラーフィルター、共通電極及び配向膜などが形成される。下部ガラス基板（１０３）には下部表面に偏光板（１０２）が取り付けられて、中間ガラス基板（１０５）と対面する上部表面にゲート電極、データ電極、ＴＦＴ、画素電極及び配向膜などが形成される。
【００５７】
光シャッターにおいて、上部ガラス基板（１０７）と中間ガラス基板（１０５）の間に液晶（１０６）が注入されている。上部ガラス基板（１０７）と中間ガラス基板（１０５）のそれぞれに液晶（１０６）を駆動するための電極が形成される。上部ガラス基板（１０７）と中間ガラス基板（１０５）に形成された電極などの中のいずれか一つにはタイミング・コントローラ（６１）から光シャッターデータ（Sut_data）が入力される。上部ガラス基板（１０７）には上部に偏光板（１０８）が取り付けられる。
【００５８】
偏光板（１０２、１０８）の偏光方向は前述したように液晶のモード特性によって異なることができる。
【００５９】
電源が印加されて液晶パネルと光シャッターが駆動されると、バックライト（１０１）が点灯して液晶パネルの液晶セルにデータが供給される。光シャッターは、タイミング・コントローラ（６１）からの光シャッターデータ（Sut_data）の正極性、負極性のハイ論理区間に液晶パネルからの光を透過させる。そして、液晶パネルの液晶セルにデータが維持される期間中に、光シャッターは光シャッターデータ（Sut_data）のグラウンドレベルであるロー論理区間に液晶パネルからの光を遮断する。
【００６０】
基板の洗浄、基板のパターンニング、配光膜形成、基板合着/液晶注入、実装工程を含めた液晶パネルと光シャッターの製造工程は、液晶パネルと光シャッターとの間に偏光板が形成されない点を除いて前述した第１実施例と類似である。
【００６１】
液晶パネルと光シャッターは、それぞれ液晶注入と封止工程がなされた後に接続することができるが、相互接続された後に液晶注入と封止工程が液晶パネルと光シャッターの双方について同時になされることもできる。
【００６２】
【発明の効果】
上述したように、本発明による液晶表示装置は、液晶セルにデータが維持される期間中に液晶パネルからの光を遮断するための光シャッターを液晶パネル上に設置する。従って、本発明による液晶表示装置は、光シャッターによる光の開閉を利用してフィールドなどの間に映像が表示されない停止期間が存在するようになり、動画像の表示の際に発生するモーション・ブラーリングを除去して表示品質を高めることができる。また、本発明による液晶表示装置の駆動装置及び方法は、データドライバとゲートドライバを駆動すると共に前記光シャッターを開閉するための制御データを発生して前記光シャッターを制御するためのタイミング・コントローラを用いることにより前記液晶表示装置を駆動するのに適した装置及び方法を提供することができる。
【００６３】
以上説明した内容を通して当業者であれば本発明の技術思想を逸脱しない範囲で多様な変更及び修正が可能であることが分かる。従って、本発明の技術的な範囲は明細書の詳細な説明に記載された内容に限らず特許請求の範囲によって定めなければならない。
【図面の簡単な説明】
【図１Ａ】  フィールドなどの間の距離と時間経過による陰極線管の画像表示を表すグラフである。
【図１Ｂ】  フィールドなどの間の距離と時間経過による液晶表示装置の画像表示を表すグラフである。
【図１Ｃ】フィールドなどの間の距離と時間経過による実際映像を表すグラフである。
【図２】従来の液晶表示装置に供給されるゲートパルスとデータを表す波形図である。
【図３Ａ】バックライトが持続的に点灯する方式を表すグラフである。
【図３Ｂ】バックライトが周期的に点灯する方式を表すグラフである。
【図４】バックライトの点灯及びデータ変造による従来の液晶表示装置の停止期間の混入を表すグラフである。
【図５Ａ】ビデオデータが液晶表示装置に持続的に供給される方式を表すグラフである。
【図５Ｂ】ビデオデータをオン/オフして液晶表示装置に供給する方式を表すグラフである。
【図６】本発明による光シャッターを有する液晶表示装置の駆動装置を表すブロック図である。
【図７】図６に図示された液晶表示装置の駆動装置の駆動波形図である。
【図８】本発明の第１実施例による光シャッターを有する液晶表示装置を表す断面図である。
【図９】本発明の第２実施例による光シャッターを有する液晶表示装置を表す断面図である。
【図１０】本発明の第３実施例による光シャッターを有する液晶表示装置を表す断面図である。
【符号の説明】
６０：液晶パネル
６１：タイミング・コントローラ
６２：データドライバ
６３：ゲートドライバ
６４：ガンマ電圧発生部
６５：光シャッタードライバ
６６：光シャッター
８０、９０、１０１：バックライト
８１、８５、８９、９１、９８、１０２、１０８：偏光板
８３、８４、８７、９３、９６、１０４、１０６：液晶
８４、９４、９５、９７：上部ガラス基板
８６、９２、１０３、１０７：下部ガラス基板
１０５：中間ガラス基板
【図１Ａ】
0003971233.tif 000002
【図１Ｂ】
0003971233.tif 000003
【図１Ｃ】
0003971233.tif 000004
【図２】
0003971233.tif 000005
【図３Ａ】
0003971233.tif 000006
【図３Ｂ】
0003971233.tif 000007
【図４】
0003971233.tif 000008
【図５Ａ】
0003971233.tif 000009
【図５Ｂ】
0003971233.tif 000010
【図６】
0003971233.tif 000011
【図７】
0003971233.tif 000012
【図８】
0003971233.tif 000013
【図９】
0003971233.tif 000014
【図１０】
0003971233.tif 000015